(57)【特許請求の範囲】
【請求項１】
赤外線カメラのキャリブレーションを行うための赤外線カメラ調整装置であって、
外界に存在する赤外線の反射面として外界の温度を映し出す鏡面を有する反射材と赤外線の光源となる部材とを組み合わせて模様が形成され、前記反射材及び前記部材が外界とは異なる温度に設定されたキャリブレーション用のターゲットを備えることを特徴とする赤外線カメラ調整装置。
【請求項２】
前記キャリブレーション用のターゲットは、
赤外線の反射材と赤外線の光源となる部材とを組み合わせて模様が形成されたキャリブレーションボードと、
前記反射材及び前記部材を外界とは異なる温度に制御する温度制御部と、
を備えることを特徴とする請求項１に記載の赤外線カメラ調整装置。
【請求項３】
前記温度制御部は、前記反射材及び前記部材を外界とは異なる温度とし、且つ前記反射材及び前記部材が同じ温度となるように制御することを特徴とする請求項２に記載の赤外線カメラ調整装置。
【請求項４】
前記キャリブレーションボードは、前記部材によりキャリブレーションボード本体が形成され、前記反射材により模様が形成されていることを特徴とする請求項２又は３に記載の赤外線カメラ調整装置。
【請求項５】
前記キャリブレーションボードは、前記反射材によりキャリブレーションボード本体が形成され、前記部材により模様が形成されていることを特徴とする請求項２又は３に記載の赤外線カメラ調整装置。
【請求項６】
前記温度制御部は、前記反射材及び前記部材を外界の温度よりも相対的に高い温度とすることを特徴とする請求項２乃至５のいずれか１項に記載の赤外線カメラ調整装置。
【請求項７】
前記温度制御部は、前記反射材及び前記部材を外界の温度よりも相対的に低い温度とすることを特徴とする請求項２乃至５のいずれか１項に記載の赤外線カメラ調整装置。
【請求項８】
赤外線カメラのキャリブレーションを行うための赤外線カメラ調整方法であって、
外界に存在する赤外線の反射面として外界の温度を映し出す鏡面を有する反射材と赤外線の光源となる部材とを組み合わせて模様が形成され、前記反射材及び前記部材が外界とは異なる温度に設定されたキャリブレーション用のターゲットを前記赤外線カメラで撮影することにより、前記赤外線カメラのキャリブレーションを行うためのパラメータを決定することを特徴とする赤外線カメラ調整方法。
【請求項９】
前記反射材と前記部材とを組み合わせて模様が形成されたキャリブレーションボードの温度を、当該キャリブレーションボードの近傍に配置した温度制御部により、前記反射材及び前記部材が外界とは異なる温度となるように制御することを特徴とする請求項８に記載の赤外線カメラ調整方法。
【請求項１０】
前記温度制御部により、前記反射材及び前記部材を外界とは異なる温度とし、且つ前記反射材及び前記部材が同じ温度となるように制御することを特徴とする請求項９に記載の赤外線カメラ調整方法。
【請求項１１】
前記部材をキャリブレーションボード本体とし、前記反射材を前記キャリブレーションボードの模様として撮影することを特徴とする請求項８又は９に記載の赤外線カメラ調整方法。
【請求項１２】
前記反射材をキャリブレーションボード本体とし、前記部材を前記キャリブレーションボードの模様として撮影することを特徴とする請求項８又は９に記載の赤外線カメラ調整方法。
【請求項１３】
前記反射材及び前記部材を外界の温度よりも相対的に高い温度となるように制御することを特徴とする請求項９乃至１２のいずれか１項に記載の赤外線カメラ調整方法。
【請求項１４】
前記反射材及び前記部材を外界の温度よりも相対的に低い温度となるように制御することを特徴とする請求項９乃至１２のいずれか１項に記載の赤外線カメラ調整方法。
【発明の詳細な説明】
【技術分野】
【０００１】
本発明は、赤外線カメラのキャリブレーションを行うための赤外線カメラ調整装置及びその方法に係り、特に赤外線カメラのキャリブレーションを可視光のキャリブレーションと同様に高精度に行う赤外線カメラ調整装置及びその方法に関する。
【背景技術】
【０００２】
従来より、赤外線カメラを用いて対象物の検出や位置を同定するための手法が各種提案されている。例えば、夜間の道路上の障害物の検出や位置の同定のためには、中〜遠赤外線カメラを２個用いてステレオ計測を行うことが有効であるという観点から、１組のステレオカメラと遠赤外線センサとを用いて車外の歩行者を認識するための車外監視装置が提案されている（特許文献１）。また、１組のステレオカメラとして赤外線カメラを用い、視界不良時でも航空機のパイロットが操縦を可能にするための技術が提案されている（特許文献２）。
【０００３】
このように２つのカメラで計測を行う場合には、個々のカメラにおける内部パラメータや、カメラ間の位置関係を表す外部パラメータを正確に計測してキャリブレーションを行うことが重要となる。カメラの内部パラメータとしては、焦点距離、画像の縦横比、画像中心、レンズ歪などがあり、カメラの外部パラメータとしては、世界座標に対するレンズの中心座標、光軸方向などの外部パラメータがある。これら各種パラメータを決定するための一連のプロセスがキャリブレーションと呼ばれるものである。
【０００４】
このようなキャリブレーションの方法として、ターゲット板に参照点を印刷したキャリブレーションボードを用いる方法が提案されている。その方法として、対象となる計測領域の３次元位置を求める際に、予め３次元形状が既知なキャリブレーションボードを計測領域に設置することで、対象の３次元位置計測のための変換パラメータの導出を簡便に行うようにしたもの（特許文献３）や、Ｒｏｇｅｒ  Ｙ．Ｔｓａｉ等による方法（Roger Y,Tsai,”A Versatile Camera Calibration Technique for High-Accuracy 3D Machine Metrology Using Off-the Shelf TV Cameras and  Lenses”,  IEEE J.Robotics and Automation,  Vol.RA-3,No4,pp.323-344,1987）が提案されている。このＲｏｇｅｒ  Ｙ．Ｔｓａｉ等による方法は、平面上に多数の点を配置したキャリブレーションボードに対してカメラを傾けて撮影し、各点の世界座標と画面座標との組からカメラのパラメータを決定するものである。
【０００５】
また、市松模様を印刷したキャリブレーション用の立体を用いる方法が提案されている（特許文献４）。
【０００６】
しかしながら、上述した従来のキャリブレーション方法はいずれも可視光が前提であるために、ここで使用されているターゲットパターンを中〜遠赤外線の帯域で使用することは困難であった。
【０００７】
一方、別の用途では、中〜遠赤外線カメラの画像と可視光カメラの画像とを重ね合わせて構造物のひび割れを検出する撮像装置が提案されており、カメラ内やカメラ間のパラメータをキャリブレーションする方法についても開示されている（特許文献５）。しかしながら、この提案においてレンズ歪の特性などは「予め計測」とされているが、赤外線帯域で高い精度で簡便に計測する方法については記載されていない。さらに、カメラ間の位置関係も「既知」とされているが、レンズ中心のずれや受光素子の傾きも含めたカメラ系として考えた場合には、画像からカメラの位置関係を計測したほうが正確な値を得ることができるので、そのほうが望ましいと考えられる。これらについても、対応点などが撮影できていれば、先に挙げたＲｏｇｅｒ  Ｙ．Ｔｓａｉ等の方法によって計算できるが、赤外線帯域で十分な精度をもったターゲットパターンの撮影方法が無いという問題は上述した従来例のキャリブレーション方法と同じであった。
【０００８】
また、別のアプローチとして、プリズムで可視光と遠赤外線とを分光し、可視光カメラで可視光を撮影するとともに、遠赤外線カメラで遠赤外線を撮影して画像を結合させる装置が提案されている（特許文献６）。しかし、撮像面の素子サイズはそれぞれ異なるとともに、可視光と遠赤外線とでは波長が大きく違うので収差が発生する。このため、レンズの特性（歪や焦点距離など）を同じにして扱うと誤差が生じてしまうので、高い精度での調整を行うためには実際撮影した画像を用いる必要があった。
【０００９】
一方、上述した従来の手法では、カメラの内部パラメータとカメラ間の外部パラメータとを同時に推定することを示したが、ステレオ計測を２台のカメラではなく、１台のカメラで実現するための方法が開示されている（特許文献７）。しかし、この場合にもカメラの内部パラメータを事前に計測しておく必要があることに変わりはない。このように、カメラの内部パラメータだけを計測する必要がある場合でも、上述したＲｏｇｅｒ  Ｙ．Ｔｓａｉ等に提案されている方法を用いればよいが、赤外線帯域で十分な精度をもったターゲットパターンが必要になることに変わりはない。
【００１０】
また、中〜遠赤外線（波長４μｍ〜１３μｍ）の帯域においてキャリブレーションを行う方法の一例として、橋本謙太郎等によって提案されている方法（橋本謙太郎、高松淳、小川原光一、池内克史“赤外線画像のステレオ処理に基づく手の形状推定”第１９回日本ロボット学会学術講演会（RSJ2001）、pp.1283-1284、２００１年９月）がある。この方法では、板状の部材に豆球を取り付けて豆球の発熱部分をマーカにしてキャリブレーションを行っている。
【特許文献１】特開２００５−２３４６９４号公報
【特許文献２】特開２００１−３４４５９７号公報
【特許文献３】特開２００１−２６４０３７号公報
【特許文献４】特開２００２−３５０１３１号公報
【特許文献５】特開２００５−３３８３５９号公報
【特許文献６】特開平１０−７３４１２号公報
【特許文献７】特開平１０−２３９０５４号公報
【発明の開示】
【発明が解決しようとする課題】
【００１１】
しかしながら、上述した橋本謙太郎等によって提案されている方法では、中〜遠赤外線（波長４μｍ〜１３μｍ）の帯域において可視光と同じような高精度のキャリブレーションを実現することは困難であった。
【００１２】
その理由としては、中〜遠赤外線（波長４μｍ〜１３μｍ）の帯域においては、紙や木材、プラスチックのような可視光で乱反射する物体は赤外線放射を行うので、赤外線の光源となり、この光源としての明るさは温度に比例するので、温度分布に隠れてターゲットの模様が見えないか、あるいは画像処理に十分な鮮明さが得られないかのどちらかになってしまうからである。
【００１３】
さらに、塗料を塗ったとしても塗料と部材がともに光源となってしまう、あるいは塗料が薄い場合にはそのまま赤外線が透過してしまうので、やはりターゲットの模様が見えないか、画像処理に十分な鮮明さが得られないかのどちらかになってしまう。
【００１４】
そこで、ターゲット板に温度が高い部分と低い部分を作ることによって模様を描くことも考えられるが、温度は塗料と違って周囲に伝播して滲んでしまうため、画像処理に十分な鮮明さは得られない。
【００１５】
このため中〜遠赤外線の帯域においてターゲット板やターゲットの立体を用いた方式で、可視光のように高い精度でキャリブレーションを行うことは困難であった。
【００１６】
ちなみに、橋本謙太郎等の方法においても、部材に熱が伝わり滲みが発生する点や、豆球の形状が高さを持ち真球でないこと、製品によるばらつきがあることなどによって、斜めから見たときに画像での中心と豆球の中心が同じ位置に見えない場合があり、可視光の計測に比べて精度が低くなるという問題点があった。
【００１７】
さらに、橋本謙太郎等の方法において特許文献２で開示されたキャリブレーション方法を用いる場合には、マーカのＩＤとなる記号を描く方法も考えられるが、ＩＤを描く際には豆球では自由な形状を描けず、自動化部分の実現が困難になってしまうという問題点もあった。
【００１８】
本発明の目的は、中〜遠赤外線の帯域であっても可視光と同じような高精度のキャリブレーションを行うことのできる赤外線カメラ調整装置及びその方法を提供することにある。
【課題を解決するための手段】
【００１９】
上述した課題を解決するために、本発明の赤外線カメラ調整装置は、赤外線カメラのキャリブレーションを行うための赤外線カメラ調整装置であって、外界に存在する赤外線の反射面として外界の温度を映し出す鏡面を有する反射材と赤外線の光源となる部材とを組み合わせて模様が形成され、前記反射材及び前記部材が外界とは異なる温度に設定されたキャリブレーション用のターゲットを備えることを特徴とする。
【００２０】
また、本発明の赤外線カメラ調整方法は、赤外線カメラのキャリブレーションを行うための赤外線カメラ調整方法であって、外界に存在する赤外線の反射面として外界の温度を映し出す鏡面を有する反射材と赤外線の光源となる部材とを組み合わせて模様が形成され、前記反射材及び前記部材が外界とは異なる温度に設定されたキャリブレーション用のターゲットを前記赤外線カメラで撮影することにより、前記赤外線カメラのキャリブレーションを行うためのパラメータを決定することを特徴とする。
【発明の効果】
【００２１】
本発明の赤外線カメラ調整装置及びその方法によれば、キャリブレーション用のターゲットにおいて、反射材及び部材はほぼ同じ温度となるように温度が設定されるが、反射材の反射面では外界の温度を映し出すことになるため、部材の領域では設定された温度の赤外線が放出され、反射材の領域では外界の温度と同じ赤外線が放出されることになる。したがって、反射材と部材との境目では赤外線の光量のコントラストが明瞭に現れることとなり、可視光の場合と変わらない高精度なキャリブレーションを行うことが可能となる。
【発明を実施するための最良の形態】
【００２２】
＜第１の実施形態＞
以下、本発明の第１の実施形態を図面に基づいて説明する。図１は第１の実施形態に係る赤外線カメラ調整装置の構造を示す図である。
【００２３】
図１に示すように、本実施形態の赤外線カメラ調整装置１は、赤外線の反射材となる金属箔２、及び赤外線の光源となる部材３を組み合わせて模様が形成されたキャリブレーションボード４と、金属箔２及び部材３を同時に加熱することにより、金属箔２及び部材３を外界とは異なる温度に制御する平面ヒータ（温度制御部）５とを備えている。このキャリブレーションボード４と平面ヒータ５は、本発明におけるキャリブレーション用のターゲットを構成するものである。なお、図１では、キャリブレーションボード４の断面構造を示すために、中央部で分割した図を示している。
【００２４】
金属箔２は、アルミニウムや銅などの赤外線を反射する金属であればよく、中〜遠赤外線の反射率が特に高いものを選択することが望ましい。そして、この金属箔２によって、例えば市松模様のような模様（図形）を描き、赤外線を反射する鏡面として作用させる。この金属箔２の厚さは１μｍ以上で、尚且つ１ｍｍ以下とすることが望ましい。なぜならば、１μｍよりも薄くすると赤外線が薄膜を透過してしまい、１ｍｍより厚くすると斜めから見た場合に誤差が生じてしまうためである。また、錆びを防ぐために金などの赤外線を反射し、尚且つ耐食性の優れた金属でコーティングしてもよい。このとき、１μｍの金箔で金属箔２を形成することも考えられるが、コストや加工（蒸着すると時間がかかる）の面から、銅箔をエッチングによって十分な厚みに加工し、その上に金を蒸着コーティングするようにしたほうが効率的に作製することができる。
【００２５】
この金属箔２の具体例としては、厚さが３０〜５０μｍの銅箔を用いて１辺が１００ｍｍの格子を作り、この格子で市松模様を描いて銅箔部分に金でコーティングしたものが考えられる。
【００２６】
部材３は、赤外線の光源となる紙、プラスチック、セラミック、エポキシ樹脂のような材料によって形成される。具体例としては、厚さ２ｍｍのエポキシ樹脂製の板を４００ｍｍ×３００ｍｍの大きさに加工して利用している。また、キャリブレーションボード４を立体とする場合には模様を描いたエポキシ樹脂製の板を組み合わせることによって実現できる。また、部材３には、平面ヒータ５に通電した際に、金属箔２及び部材３の温度を検出する図示しない温度センサが設けられている。
【００２７】
平面ヒータ５は、キャリブレーションボード４の背面に取り付けられ、部材３を直接加熱して、金属箔２及び部材３がともに外界と異なる温度となるように制御する温度制御部である。なお、金属箔２及び部材３の温度は、上述したように部材３に設けた図示しない温度センサで検出しているが、平面ヒータ５に内蔵された温度センサで温度を検出し、この温度を金属箔２及び部材３の温度とみなしてもよい。
【００２８】
本実施形態では加熱する装置として平面ヒータ５を用いたが、後述する第２の実施形態のように、ドライヤーのような温風発生器を用いて温風をキャリブレーションボード４に吹き付けて加熱するようにしてもよい。
【００２９】
次に、このように構成された赤外線カメラ調整装置１を用いた赤外線カメラの調整方法（キャリブレーション方法）を図２のフローチャートに基づいて説明する。
【００３０】
まず、キャリブレーションボード４を計測領域に設置し（ステップＳ１０１）、平面ヒータ５を通電して金属箔２及び部材３を加熱する（ステップＳ１０２）。
【００３１】
そして、金属箔２及び部材３が平面ヒータ５により十分に加熱され、前記温度センサで検出された温度が外界よりも高い温度になったら（ステップＳ１０３でＹＥＳ）、平面ヒータ５への通電を継続しながら中〜遠赤外線カメラで撮影し、キャリブレーションを実施して（ステップＳ１０４）、本実施形態の赤外線カメラの調整方法は終了する。
【００３２】
ここで、キャリブレーションの方法は、一般的なキャリブレーションの方法を実施すればよい。例えば、上述したＲｏｇｅｒ  Ｙ．Ｔｓａｉ等の方法を用いて行うことができる。すなわち、平面上に多数の点を配置したキャリブレーションボードを傾けて撮影することにより、各点の世界座標と、それらの点に対応する画面座標との組が与えられたときに、外部パラメータとして回転行列とベクトル、内部パラメータとして焦点距離、レンズ歪係数、スケール係数、画像原点を求めることでカメラのパラメータを決定する。
【００３３】
具体的には、キャリブレーションボード４を色々な向きに傾けて赤外線カメラ１台で撮影し、前述した赤外線カメラの内部パラメータを計測する。その後、同様にキャリブレーションボード４を色々な向きに傾けて、赤外線カメラ２台の相対的な位置関係の外部パラメータを計測し、赤外線カメラ２台でのステレオ計測を可能にするだけのキャリブレーションを完了する。
【００３４】
このキャリブレーションにおいて、金属箔２と部材３は高い温度に加熱され、部材３は光源となり、外界に比べて多くの赤外線を放射する。一方、金属箔２は部材３と同じように高い温度に加熱されるが、その表面は鏡面（反射面）となり、外界の温度を映し出すことになるため、外界の温度と同じ赤外線が放射されることになる。なお、外界とは本装置１の周辺空間をいう。例えば、本装置１を室内の中央で使用したとすると、金属箔２には壁や天井などの部材３よりも温度が低いと思われる領域の温度が映し出されることになる。
【００３５】
ここで、部材３を加熱した状態のキャリブレーションボード４を赤外線カメラで撮影した写真の一例を図３に示す。図３に示すように、加熱されて多くの赤外線を放射している部材３の部分は白く写っている。これに対して、金属箔２の部分は、部材３よりも温度の低い外界の温度を映し出している。このように温度の低い部分では、赤外線の放射量が少ないので黒く写ることになる。
【００３６】
したがって、金属箔２で形成された模様と部材３との境目では赤外線の光量のコントラストが明瞭に現れる、すなわちコントラストが明瞭に分かれて変化することとなるため、可視光の場合と同様に高精度なキャリブレーションを実行することが可能となる。
【００３７】
このように、本実施形態の赤外線カメラ調整装置１では、赤外線の反射材となる金属箔２と赤外線の光源となる部材３とを組み合わせて模様を形成したキャリブレーションボード４を用い、金属箔２及び部材３が外界よりも高い温度になるように制御するようにしたので、外界の温度と同じ赤外線を放出する金属箔２と、設定された温度と同じ赤外線を放出する部材３との境目では、赤外線の光量のコントラストが明瞭に現れることになり、可視光の場合と変わらない高精度なキャリブレーションを行うことが可能になる。
【００３８】
また、本実施形態の赤外線カメラ調整装置１では、部材３をキャリブレーションボード本体とし、反射材である金属箔２で模様を形成したので、自由な模様を描くことができ、これによって複数のマーカの自動識別等にも有効なターゲットを作成することができる。
【００３９】
さらに、本実施形態の赤外線カメラ調整装置１では、温度制御部として平面ヒータ５を用いたので、金属箔２及び部材３を均一に加熱することができ、ボード上での部分的な温度ムラや、金属箔２から部材３への熱の伝わりによる滲みが発生することがなく、金属箔２と部材３との境目において、赤外線の光量のコントラストをムラなく、且つ明瞭に現すことが可能となる。
【００４０】
＜第２の実施形態＞
次に、本発明の第２の実施形態を図面に基づいて説明する。図４は、第２の実施形態に係る赤外線カメラ調整装置の構造を示す図である。
【００４１】
図４に示すように、本実施形態の赤外線カメラ調整装置４１は、強度を得るための構造材４２の上に赤外線の反射材となる金属箔４３を設置して赤外線の光源となる部材４４で模様を形成したキャリブレーションボード４５と、キャリブレーションボード４５に温風を吹き付けるドライヤー（温度制御部）４６とを備えている。このキャリブレーションボード４とドライヤー４６は、本発明におけるキャリブレーション用のターゲットを構成するものである。なお、図４では、キャリブレーションボード４５の断面構造を示すために、中央部で分割した図を示している。
【００４２】
構造材４２は、プラスチックなどの十分な強度が得られる板材であれば、どのような材質の板材であってもよく、大きさは一例として４００ｍｍ×３００ｍｍで厚さが１２ｍｍの部材とする。
【００４３】
金属箔４３は、アルミニウムや銅などの赤外線を反射する金属であればよく、中〜遠赤外線の反射率が特に高いものを選択することが望ましい。そして、この金属箔４３を、赤外線を反射する鏡面として作用させる。この金属箔４３の具体例としては、紙の上に３〜１０μｍのアルミ箔を貼り付けたアルミ貼り合わせ紙を用意し、これを構造材４２の上に貼り付けるようにする。このときアルミ箔の厚みは１μｍ以上とし、アルミ箔でなくてもアルミニウムの板であっても構わない。
【００４４】
部材４４は、赤外線の光源となるような塗料や顔料を使って金属箔４３の表面に印刷で模様を描いたものであり、図４では１辺が１００ｍｍの格子で市松模様を描いたものである。模様を印刷する際には、塗料や顔料が薄いと赤外線が透過してコントラストが下がってしまうので、印刷に厚みを持たせるために多色刷りで何色かを重ね塗りするようにする。また、模様は、真っ白や真っ黒ではなく、表面に凸凹を作ってドットの塗り分けで中間色（灰色）を表現し、赤外線の輻射率を上げて高いコントラストを得られるようにすることが望ましい。
【００４５】
また、立体のキャリブレーションボードを用いる場合にも、望む形状の立体に金属箔４３を貼り付けて部材４４を印刷すればよいので、目的に応じた形状をフレキシブルに作成することができる。
【００４６】
ドライヤー４６は、キャリブレーションボード４５の表面へ温風を吹き付けて、金属箔４３及び部材４４を加熱するための温度制御部である。
【００４７】
本実施形態では加熱する装置としてドライヤーを用いたが、構造材４２として金属板などの熱伝導率の良い材料を用い、その金属板に第１の実施形態のように平面ヒータを取り付けて加熱するようにしても良い。
【００４８】
このように構成された赤外線カメラ調整装置４１において、赤外線カメラの調整方法（キャリブレーション方法）は、金属箔４３及び部材４４を加熱する際に平面ヒータ５の代わりにドライヤー４６を用いること以外は第１の実施形態と同一なので、詳しい説明は省略する。
【００４９】
本実施形態の赤外線カメラ調整装置４１では、第１の実施形態と同じく、部材３は光源となり、外界に比べて多くの赤外線を放射する一方、金属箔２の表面は鏡面（反射面）となり、外界の温度を映し出すことになるため、外界の温度と同じ赤外線が放射される。
【００５０】
したがって、部材３で形成された模様と金属箔２との境目では赤外線の光量のコントラストが明瞭に現れる、すなわちコントラストが明瞭に分かれて変化することとなるため、可視光の場合と同様に高精度なキャリブレーションを実行することが可能となる。とくに本実施形態では、反射材である金属箔４３を利用してキャリブレーションボード本体を形成し、部材４４によって模様を形成したので、印刷で模様を描くことができ、これによって短時間で容易に望みの模様を描くことが可能になる。
【００５１】
また、本実施形態の赤外線カメラ調整装置４１では、温度制御部としてドライヤー４６を用いたので、金属箔４３及び部材４４を短時間に効率良く加熱することができる。また、金属箔４３及び部材４４をほぼ均一に加熱することができるので、ボード上での部分的な温度ムラや、金属箔２から部材３への熱の伝わりによる滲みが発生することがほとんどなく、金属箔４３と部材４４との境目において赤外線の光量のコントラストを明瞭に現すことが可能となる。
【００５２】
以上説明した各実施形態では、キャリブレーションボードを構成する金属箔２及び部材３を外界よりも高い温度とする例について示したが、本発明はこの例に限定されるものではない。すなわち、本発明は金属箔２及び部材３が外界とは異なる温度となるように制御すればよく、キャリブレーションボードを構成する金属箔２及び部材３を外界よりも低い温度となるように制御にしてもよい。この場合の温度制御部としては、例えば、ペルチェ素子のような冷却装置を用いることができる。このように、本発明における温度制御部は加熱装置だけでなく、冷却装置でもよく、使用状況等に応じて適宜選択することができる。
【図面の簡単な説明】
【００５３】
【図１】本発明の第１の実施形態に係る赤外線カメラ調整装置の構造を示す図である。
【図２】本発明の第１の実施形態に係る赤外線カメラ調整装置によるキャリブレーション方法を説明するためのフローチャートである。
【図３】本発明の第１実施形態に係るキャリブレーションボードを赤外線カメラで撮影した図である。
【図４】本発明の第２の実施形態に係る赤外線カメラ調整装置の構造を示す図である。
【符号の説明】
【００５４】
１、４１  赤外線カメラ調整装置
２、４３  金属箔
３、４４  部材
４、４５  キャリブレーションボード
５  平面ヒータ（温度制御部）
４２  構造材
４６  ドライヤー（温度制御部）
【図１】
0005388417.tif 000002
【図２】
0005388417.tif 000003
【図４】
0005388417.tif 000004
【図３】
0005388417.tif 000005